【手続補正書】
【提出日】平成17年3月18日(2005.3.18)
【手続補正１】
【補正対象書類名】明細書
【補正対象項目名】特許請求の範囲
【補正方法】変更
【補正の内容】
【特許請求の範囲】
【請求項１】
生体と周囲環境との間の熱流を測定する装置であって、
ｉ）第１の面と、周囲環境と熱連通関係にされる第２の面とを有する熱束センサー、及び
ii）生体と熱連通関係にされる第１の表面と、熱束センサーの第１の面と熱連通関係にされる第２の表面とを有する熱導管を有するヒートパイプ装置より成る熱流測定装置。
【請求項２】
熱導管の第１の表面は生体と接触させるようになっている請求項１の装置。
【請求項３】
熱導管の第１の表面は低アレルギー性材料より成る請求項２の装置。
【請求項４】
低アレルギー性材料はステンレス鋼より成る請求項３の装置。
【請求項５】
熱束センサーの第１の面の表面積に対する熱導管の第１の表面の表面積の比率は約０．５から約２の範囲内にある請求項２乃至４のうち任意の１項の装置。
【請求項６】
ステンレス鋼と少なくとも同じ大きさの熱伝導率を有し、熱導管の第１の表面の近傍の生体に接触させるようになっている熱導体をさらに有する請求項２乃至５のうち任意の１項の装置。
【請求項７】
熱導管の第１の表面が生体と接触状態にない時は、熱導管の第２の表面は熱束センサーの第１の表面との熱連通関係から外れるように付勢されている請求項２乃至６のうち任意の１項の装置。
【請求項８】
熱導体は熱異方性材料より成る上記請求項のうち任意の１項の装置。
【請求項９】
熱異方性材料は伝熱プラスチックである請求項８の装置。
【請求項１０】
ヒートパイプ装置は伝熱インターフェイス材料層を含み、伝熱インターフェイス材料層は熱束センサー及び熱導管のうち少なくとも一方と接触関係にある上記請求項のうち任意の１項の装置。
【請求項１１】
伝熱インターフェイス材料層は、伝熱ギャップ充填材、伝熱相変化インターフェイス材料、伝熱テープ、現場硬化伝熱コンパウンド、現場硬化伝熱エポキシ及び伝熱グリースより成る群のうちの少なくとも１つである請求項１０の装置。
【請求項１２】
伝熱インターフェイス材料層は、窒化ホウ素及びアルミナを含み、アルミニウムフォイルの担体を有するシリコーンエラストマーより成る請求項１０の装置。
【請求項１３】
熱導管は少なくとも１つの空所を内部に有する上記請求項のうち任意の１項の装置。
【請求項１４】
熱導管は内部通路を有する上記請求項のうち任意の１項の装置。
【請求項１５】
熱導管は円筒形である請求項１４の装置。
【請求項１６】
熱導管は内側軸方向表面、半径方向表面及び外側軸方向表面を有し、熱導管の第２の表面は内側軸方向表面、半径方向表面及び外側軸方向表面より成る群から選択される１つの表面である請求項１４の装置。
【請求項１７】
ヒートパイプ装置は、熱インピーダンスが熱束センサーの熱抵抗の少なくとも２倍未満である上記請求項のうち任意の１項の装置。
【請求項１８】  ヒートパイプ装置の熱インピーダンスは、熱束センサーの熱抵抗の約１．１から１．２倍の範囲内にある請求項１７の装置。
【請求項１９】
ヒートパイプ装置の熱インピーダンスは約０．０００６から約０．００３℃／（Ｗ／ｍ2）の範囲内にある上記請求項のうち任意の１項の装置。
【請求項２０】
ヒートパイプ装置は主要な熱流経路を有し、熱導管の主要な熱流経路の方向の熱伝導率はステンレス鋼の熱伝導率にほぼ等しい値からアルミニウムの熱伝導率にほぼ等しい値の範囲内にある上記請求項のうち任意の１項の装置。
【請求項２１】
熱導管は複数の個別の熱導管より成り、個別の熱導管はそれぞれ、生体と熱連通関係にされる第１の表面と、熱束センサーの第１の面と熱連通関係にされる第２の表面とを有し、個々の熱導管のうち少なくとも１つは生体と接触させるようになっている表面を有する上記請求項のうち任意の１項の装置。
【請求項２２】
個々の熱導管のいずれも生体と接触状態にない時は、個々の熱導管の少なくとも１つは熱束センサーの第１の面との熱連通関係から外れるように付勢されている請求項２１の装置。
【請求項２３】
ヒートパイプ装置はさらに、熱束センサーの第２の面と熱連通関係にされる第１の表面と、周囲環境と熱連通関係にされる第２の表面とを有する第２の熱導管を有する上記請求項のうち任意の１項の装置。
【請求項２４】
第２の熱導管の第２の表面は周囲環境と接触させるようになっている請求項２３の装置。
【請求項２５】
熱束センサーの第２の面の表面積に対する第２の熱導管の第２の表面の表面積の比率は約０．５から約１の範囲内にある請求項２４の装置。
【請求項２６】
第１の熱導管の第１の表面が生体と接触状態にない時は、第２の熱導管の第１の表面は熱束センサーの第２の面との熱連通関係から外れるように付勢されている請求項２３乃至２５のうち任意の１項の装置。
【請求項２７】
第２の熱導管は複数の個別の熱導管より成り、個別の熱導管はそれぞれ、熱束センサーの第２の面と熱連通関係にされる第１の表面と、周囲環境と熱連通関係にされる第２の表面とを有し、個々の熱導管のうち少なくとも１つは周囲環境と接触させるようになっている表面を有する請求項２３乃至２６のうち任意の１項の装置。
【請求項２８】
第１の熱導管の第１の面が生体と接触状態にない時は、個々の熱導管の少なくとも１つは熱束センサーの第２の面との熱連通関係から外れるように付勢されている請求項２７の装置。
【請求項２９】
少なくとも１つの個々の熱導管と接触関係にある伝熱インターフェイス材料層をさらに含む請求項２１、２２、２７または２８のうち任意の１項の装置。【請求項３０】
伝熱インターフェイス材料層は、伝熱ギャップ充填材、伝熱相変化インターフェイス材料、伝熱テープ、現場硬化伝熱コンパウンド、現場硬化伝熱エポキシ及び伝熱グリースより成る群のうちの少なくとも１つである請求項２９の装置。
【請求項３１】
伝熱インターフェイス材料層は、窒化ホウ素及びアルミナを含み、アルミニウムフォイルの担体を有するシリコーンエラストマーより成る請求項２９の装置。
【請求項３２】
生体は人体である上記請求項のうち任意の１項の装置。
【請求項３３】
熱束センサーから出力を受けるプロセッサーをさらに備えた上記請求項のうち任意の１項の装置。
【請求項３４】
人間の生理学的情報を検出し、モニターし、報告するシステムであって、
ａ）上記請求項のうち任意の１項の装置を備え、個人の体と接触状態にされてその個人からの熱流を示すデータ及び熱流を示すデータから導出するデータを発生するセンサー装置、
ｂ）センサー装置から遠隔位置にあり、熱流を示すデータ及び導出データのうち少なくとも１つのデータの少なくとも一部から分析状態データを発生し、熱流を示すデータ、導出データ及び分析状態データのうち少なくとも１つを取り出し自在に蓄積するデータ蓄積装置を備えた中央モニターユニット、
ｃ）センサー装置と中央モニターユニットの間に少なくとも一時的な電気通信関係を確立するデータ転送手段及び、
ｄ）熱流を示すデータ、導出データ及び分析状態データのうち少なくとも１つを受け手に伝送する手段より成る、人間の生理学的情報を検出し、モニターし、報告するシステム。
【請求項３５】
人間の生理学的情報を検出し、モニターし、報告するシステムであって、
ａ）請求項１乃至３３のうち任意の１項の装置を備え、個人の体と接触状態にされてその個人からの熱流を示すデータ及び熱流を示すデータから導出するデータを発生するセンサー装置、
ｂ）センサー装置から遠隔位置にあり、熱流を示すデータ及び導出データのうち少なくとも１つのデータの少なくとも一部から分析状態データを発生し、熱流を示すデータ、導出データ及び分析状態データのうち少なくとも１つを取り出し自在に蓄積するデータ蓄積装置を備えた中央モニターユニット、
ｃ）センサー装置と中央モニターユニットの間に少なくとも一時的な電気通信関係を確立するデータ転送手段及び、
ｄ）熱流を示すデータ、導出データ及び分析状態データのうち少なくとも１つを受け手に伝送する手段より成る、人間の生理学的情報を検出し、モニターし、報告するシステム。
【請求項３６】
人間の生理学的情報を検出し、モニターし、報告するシステムであって、
ａ）請求項１乃至３３のうち任意の１項の装置を備え、個人の体と接触状態にされてその個人からの熱流を示すデータを発生するセンサー装置、
ｂ）センサー装置から遠隔位置にあり、熱流を示すデータを取り出し自在に蓄積するデータ蓄積装置を備えた中央モニターユニット、
ｃ）センサー装置と中央モニターユニットの間に少なくとも一時的な電気通信関係を確立するデータ転送手段及び、
ｄ）熱流を示すデータを受け手に伝送する手段より成る、人間の生理学的情報を検出し、モニターし、報告するシステム。
【請求項３７】
センサー装置は、外周部を有し、体と接触関係にされる第１の表面を備え、熱導管の第１の表面は外周部の近くで体に接触するように位置決めされ、熱導管の第１の表面は前記外周部の近くで体と接触するように位置決めされる請求項３４乃至３６のうち任意の１項のシステム。
【請求項３８】
センサー装置は、伝熱材料によりカバーされる領域を備えた、体と接触させる第１の表面を有し、熱導管の第１の表面は前記領域の近くで体と接触するように位置決めされる請求項３４乃至３７のうち任意の１項のシステム。
【請求項３９】
伝熱材料はステンレス鋼である請求項３８のシステム。
【請求項４０】
センサー装置は個人の１またはそれ以上のコンテキストパラメータを示すデータを発生し、分析状態データは１またはそれ以上のコンテキストパラメータを示すデータの選択部分から発生される請求項３４乃至３９のうち任意の１項のシステム。
【請求項４１】
個人が推奨されるルーチンに従った程度をモニターするシステムであって、
ａ）請求項１乃至３３のうち任意の１項の装置を備え、個人の体と接触状態にされてその個人からの熱流を示すデータ及び熱流を示すデータから導出するデータを発生するセンサー装置、
ｂ）熱流を示すデータ及び導出データのうち少なくとも１つをセンサー装置から遠隔の中央モニターユニットに伝送する手段、及び
ｃ）個人の人生活動データを中央モニターユニットへ与える手段より成り、
中央モニターユニットは、個人が推奨されるルーチンに従った程度に関するフィードバック情報を熱流を示すデータ、導出データ及び人生活動データのうち少なくとも一部から発生し、それを受け手に与えるように構成されている、個人が推奨されるルーチンに従った程度をモニターするシステム。
【請求項４２】
個人が推奨されるルーチンに従った程度をモニターするシステムであって、
ａ）請求項１乃至３３のうち任意の１項の装置を備え、個人の体と接触状態にされてその個人からの熱流を示すデータ及び熱流を示すデータから導出するデータを発生するセンサー装置、
ｂ）熱流を示すデータ及び導出データのうち少なくとも１つをセンサー装置から遠隔の中央モニターユニットに伝送する手段、及び
ｃ）個人の人生活動データを中央モニターユニットへ与える手段より成り、
中央モニターユニットは、個人が推奨されるルーチンに従った程度に関するフィードバック情報を熱流を示すデータ、導出データ及び人生活動データのうち少なくとも一部から発生し、それを受け手に与えるように構成されている、個人が推奨されるルーチンに従った程度をモニターするシステム。
【請求項４３】
ルーチンは複数のカテゴリーより成る請求項４１または４２のシステム。
【請求項４４】
フィードバック情報はカテゴリー毎に発生され、提供される請求項４３のシステム。
【請求項４５】
カテゴリーは、栄養、活動レベル、精神集中、睡眠及び毎日の活動のうちの２つまたはそれ以上を含む請求項４４のシステム。
【請求項４６】
フィードバック情報の少なくとも一部がグラフィック形式で提供される請求項４４または４５のシステム。
【請求項４７】
中央モニターユニットは、フィードバック情報を含み、インターネット上で受け手がアクセス可能な１またはそれ以上のウェブページを発生するように構成されている請求項４６のシステム。
【請求項４８】
センサー装置は、再充電可能電池を備え、再充電可能電池を充電するための電池充電ユニット内に配置されるように構成されている請求項４１または４７のシステム。
【請求項４９】
センサー装置はさらに導出データを発生するプロセッサーを備えている請求項３４乃至４８のうち任意の１項のシステム。
【請求項５０】
センサー装置は、プロセッサーを収納するコンピューターハウジングと、個人の上腕部の一部を包む第１及び第２のウィングを有する可撓性ウィング本体とより成る請求項４９のシステム。
【請求項５１】
センサー装置を上腕部に着脱自在に固定する手段をさらに備えた請求項５０のシステム。
【請求項５２】
センサー装置はさらに、個人が着用するかまたはその近くに位置する無線装置からデータを受ける無線受信機をさらに備えている請求項３４乃至５１のうち任意の１項のシステム。
【請求項５３】
無線装置は心拍数モニターを備え、無線装置から受けるデータは個人の心拍数を示すデータより成り、導出データ及びフィードバック情報も心拍数を示すデータの少なくとも一部から発生される請求項５２のシステム。
【請求項５４】
導出データは、消費カロリー、入眠及び起床時間、ストレスレベル及び弛緩レベルのうちの少なくとも１つより成る請求項３４乃至５３のうち任意の１項のシステム。